(57)【要約】      （修正有）【課題】ブラシ部に付着した付着物を容易に取り除くことができるブラシ及び回転ブラシを提供する。【解決手段】ブラシ３２は、基布３３と、基布３３の外面に設けられ、複数のブラシ糸３４を有するブラシ部３５と、を備え、基布３３には、複数のブラシ部３５が互いに間隔を有して配置される。複数のブラシ部３５は互いに間隔を有して配置されているので、ゴミなどの付着物が付着した場合にも、ブラシ部３５に絡まりにくい。また、ゴミがブラシ部３５に絡まったとしても、こうしたゴミはブラシ部３５間の隙間を通じて取り除くことができる。したがって、ブラシ部３５に付着したゴミなどの付着物を容易に取り除くことができる。【選択図】図２
2015073740.tif 000002
【特許請求の範囲】
【請求項１】
基材と、
前記基材の外面に設けられ、複数のブラシ糸を有するブラシ部と、を備え、
前記基材の外面には、複数の前記ブラシ部が互いに間隔を有して配置されることを特徴とするブラシ。
【請求項２】
前記基材は経糸と緯糸とを織ってなる基布であり、
前記ブラシ糸は、前記基布に織り込まれて前記基布上に立設されたパイルであり、
前記複数のブラシ部は、前記経糸が延びる方向及び前記緯糸が延びる方向のうち少なくとも一方の方向に間隔を有して並列されることを特徴とする請求項１に記載のブラシ。
【請求項３】
前記基材は経糸と緯糸とを織ってなる基布であり、
前記経糸の一部及び前記緯糸の一部のうち少なくとも一方をシェニール糸にすることによって、前記ブラシ部が形成されることを特徴とする請求項１に記載のブラシ。
【請求項４】
回転体と、
前記回転体の外面に設けられ、複数のブラシ糸を有するブラシ部と、を備え、
前記回転体の外面には、複数の前記ブラシ部が互いに間隔を有して配置されることを特徴とする回転ブラシ。
【発明の詳細な説明】
【技術分野】
【０００１】
本発明は、ブラシ及び回転ブラシに関する。
【背景技術】
【０００２】
一般に、電気掃除機は本体部にホースを介して接続された吸込具を備え、この吸込具を絨毯、フローリング、畳等の床面上を移動させながらエアを吸引することにより、本体部内に塵埃が吸い込まれるように構成されている。
【０００３】
また、近年では、例えばフローリングのような床面に付着した汚れを拭く能力を向上させるため、可撓性を有するパイルで外面全体を覆った攪拌機（回転ブラシ）を吸込具内に設けた電気掃除機がある（例えば、特許文献１）。
【先行技術文献】
【特許文献】
【０００４】
【特許文献１】特表２０１３−５１６２６２号公報
【発明の概要】
【発明が解決しようとする課題】
【０００５】
ところで、上述のように、攪拌機の外面全体をパイルで覆うと、例えば毛髪や塵埃などのゴミがパイルに絡まってしまった場合、こうしたゴミをパイルから取り除くことが困難であるという課題がある。なお、こうした課題は、電気掃除機に備えられる攪拌機に限らず、基材の外面を覆うブラシ部を備えるブラシにおいては、概ね共通したものとなっている。
【０００６】
本発明は、こうした実情に鑑みてなされたものであり、その目的は、ブラシ部に付着した付着物を容易に取り除くことができるブラシ及び回転ブラシを提供することにある。
【課題を解決するための手段】
【０００７】
以下、上記課題を解決するための手段及びその作用効果について記載する。
上記課題を解決するブラシは、基材と、前記基材の外面に設けられ、複数のブラシ糸を有するブラシ部と、を備え、前記基材の外面には、複数の前記ブラシ部が互いに間隔を有して配置されることを要旨とする。
【０００８】
この構成によれば、基材の外面に配置された複数のブラシ部は互いに間隔を有して配置されているので、ゴミなどの付着物が付着した場合にも、ブラシ部に絡まりにくい。また、ゴミがブラシ部に絡まったとしても、こうしたゴミはブラシ部とブラシ部との間の隙間を通じて取り除くことができる。したがって、ブラシ部に付着したゴミなどの付着物を容易に取り除くことができる。
【０００９】
上記構成のブラシにおいて、前記基材は経糸と緯糸とを織ってなる基布であり、前記ブラシ糸は、前記基布に織り込まれて前記基布上に立設されたパイルであり、前記複数のブラシ部は、前記経糸が延びる方向及び前記緯糸が延びる方向のうち少なくとも一方の方向に間隔を有して並列されることが好ましい。
【００１０】
この構成によれば、複数のブラシ部は経糸が延びる方向及び緯糸が延びる方向のうち少なくとも一方の方向に間隔を有して並列されるので、払拭方向を任意に設定することができる。また、ブラシ糸は基布に織り込まれたパイルによって構成されているので、パイルの織り込み方や種類を変更することによって、ブラシ部の大きさや性状などを容易に変更することができる。
【００１１】
上記構成のブラシにおいて、前記基材は経糸と緯糸とを織ってなる基布であり、前記経糸の一部及び前記緯糸の一部のうち少なくとも一方をシェニール糸にすることによって、前記ブラシ部が形成されることが好ましい。
【００１２】
この構成によれば、ブラシ部はシェニール糸を織り込むことによって形成されるので、基布の形成と同時にブラシ部を形成することができる。
上記課題を解決する回転ブラシは、回転体と、前記回転体の外面に設けられ、複数のブラシ糸を有するブラシ部と、を備え、前記回転体の外面には、複数の前記ブラシ部が互いに間隔を有して配置される。
【００１３】
この構成によれば、複数のブラシ部は互いに間隔を有して配置されているので、回転体の回転に伴って、例えば毛髪や糸くずのような長尺状のゴミが付着した場合にも、ブラシ部に絡まりにくい。また、長尺状のゴミが絡まったとしても、こうしたゴミはブラシ部とブラシ部との間において露出しているので、取り除きやすい。したがって、回転体の回転に伴ってブラシ部に付着したゴミなどの付着物を容易に取り除くことができる。
【発明の効果】
【００１４】
上記ブラシ及び回転ブラシによれば、ブラシ部に付着した付着物を容易に取り除くことができる。
【図面の簡単な説明】
【００１５】
【図１】第１実施形態のブラシを備える電気掃除機のヘッドの使用状態を示す断面図。
【図２】同電気掃除機のヘッドの断面図。
【図３】第１実施形態のブラシを回転体に取り付けて回転ブラシを形成するときの模式図。
【図４】第１実施形態のブラシの平面図。
【図５】第１実施形態のブラシの構成を模式的に示す断面図。
【図６】第１実施形態のブラシの平面構成を示す模式図。
【図７】第２実施形態のブラシの構成を模式的に示す斜視図。
【図８】第２実施形態のブラシを構成するシェニール糸の模式図。
【図９】第２実施形態のブラシの構成を模式的に示す断面図。
【図１０】第１変形例のブラシの構成を模式的に示す断面図。
【図１１】第１変形例のブラシの平面構成を示す模式図。
【図１２】第２変形例のブラシの平面図。
【図１３】回転ブラシを複数備える電気掃除機のヘッドの断面図。
【発明を実施するための形態】
【００１６】
（第１実施形態）
以下、ブラシを電気掃除機用の回転ブラシに用いられるブラシに具体化した第１実施形態を図面に基づいて説明する。
【００１７】
まず、回転ブラシが取り着けられる電気掃除機のヘッドの構成について説明する。
図１に示すように、電気掃除機のヘッド１１は、基端側が電気掃除機の本体部（図示略）に接続された接続パイプ１３の先端側に取り付けられたケース１２を備えている。ケース１２の底壁における先端側の位置には左右方向に長い矩形状の吸込口１４が形成されている。
【００１８】
ケース１２には矩形枠状をなす仕切板１５が吸込口１４を囲むように立設されている。仕切板１５を構成する後壁の中央部にはエア吸引口１６が形成されている。また、ケース１２内には、エア吸引口１６が形成された仕切板１５の後方にモータ１８が収容されている。
【００１９】
図２に示すように、ケース１２は左右方向が長手方向になっているとともに、ケース１２の左内側面にはモータ軸受１７が設けられている。モータ軸受１７はモータ１８から延びるモータ軸１９の先端を回転可能に支持している。また、モータ軸１９にはローラ１９ａが取着されている。
【００２０】
ケース１２の左右両内側壁には対をなすブラシ軸受２１が設けられている。ブラシ軸受２１は、一対の回転支持体２０を回転可能に支持している。また、仕切板１５の内側には、回転軸線が左右方向に延びる回転ブラシ２２が収容されており、回転ブラシ２２の両端部は回転支持体２０によって支持されている。
【００２１】
左側の回転支持体２０とローラ１９ａとの間には無端状のベルト２３が巻き架けられている。そして、モータ１８が駆動されると、モータ１８の回転駆動力が、モータ軸１９、ローラ１９ａ、ベルト２３、及び左側の回転支持体２０を介して回転ブラシ２２に伝達される。
【００２２】
次に、回転ブラシ２２の構成について説明する。
図３に示すように、回転ブラシ２２は、回転体３１と、回転体３１の外周面に螺旋状に巻き付けた状態で取着される帯状のブラシ３２とを備えている。回転体３１は円筒状をなしており、例えば金属や樹脂等によって形成される。なお、ブラシ３２の回転体３１に対する取着方法は任意に選択することができ、例えばブラシ３２を接着剤や両面テープなどで回転体３１の外周面に貼り付けてもよいし、網目状の回転体３１にブラシ３２を縫い付けてもよい。
【００２３】
回転支持体２０は、円筒状の嵌入部２０ａの外周面に円環状のフランジ部２０ｂを設けることによって形成される。そして、回転体３１の軸線方向における両端の開口に、回転支持体２０の嵌入部２０ａを嵌入することによって、回転支持体２０に回転ブラシ２２が取り付けられる。なお、回転体３１は、予め軸線方向における両端に回転支持体２０を一体形成するようにしてもよい。
【００２４】
次に、ブラシ３２の構成について説明する。
図４に示すように、ブラシ３２は、基材の一例としての帯状の基布３３と、複数のブラシ糸３４を有して基布３３の外面に設けられるブラシ部３５とを備えている。そして、基布３３上には、複数のブラシ部３５が基布３３の長手方向となる長さ方向Ｙにおいて互いに間隔を有して並列されている。
【００２５】
基布３３の短手方向となる幅方向Ｘにおける両端には、ブラシ部３５が形成されない縁部３６がある。また、以下の説明において、基布３３の長さ方向Ｙに並ぶ２つのブラシ部３５の間に形成される隙間を非ブラシ部３７と表記することがある。
【００２６】
図５に示すように、基布３３は、例えばポリエステルからなる経糸３８と緯糸３９とを織ってなる織布によって構成される。この場合、基布３３を構成する経糸３８及び緯糸３９の材質はポリエステルに限らず、ポリエチレン、ポリアミド、ポリプロピレン、アクリル樹脂、ウレタン樹脂などの合成樹脂から適宜選択可能である。
【００２７】
本実施形態のブラシ糸３４は、基布３３に織り込まれて基布３３上に立設されたパイルによって構成される。パイルは、例えばポリアミド繊維を複数本数ずつ束ねたパイル糸４１の状態で基布３３上にパイル織りされることにより立設される。ポリアミド繊維は、耐摩耗性及び復元性に優れているため、本用途に適している。
【００２８】
なお、本実施形態において、基布３３のパイルが立設される面を表面、その反対側の面を裏面ということがある。また、ブラシ糸３４であるパイルの立設方向を、幅方向Ｘ及び長さ方向Ｙの両方向に交差する方向Ｚとして図示する。
【００２９】
基布３３にパイルを形成する場合には、まず、図５に示すように２つの基布３３（３３Ａ，３３Ｂ）を互いの表面が対向するように配置する。なお、このときの基布３３Ａと基布３３Ｂとの間の距離に応じて、ブラシ糸３４の長さが変化する。
【００３０】
続いて、幅方向Ｘに交互に並ぶパイル糸４１（４１Ａ，４１Ｂ）を、基布３３Ａ，３３Ｂの緯糸３９に対して交互に掛け渡すように織り込む。なお、図５，図６において、緯糸３９を矢印で指す数字は、両図に対応する緯糸３９の長さ方向Ｙにおける並び順を示している。
【００３１】
そして、２つの基布３３Ａ，３３Ｂに掛け渡されたパイル糸４１Ａ，４１Ｂの中央部分を切断する（図５の二点鎖線に沿って切断する）と、パイル糸４１Ａ，４１Ｂを構成する繊維が拡がることでパイルからなるブラシ糸３４（３４Ａ，３４Ｂ）となる。すなわち、ブラシ部３５は、パイル糸４１を２つの基布３３Ａ，３３Ｂの並び順１〜６に示す緯糸３９に掛け渡した後にカットすることによって形成されるカットパイルである。これにより、２つのブラシ３２Ａ，３２Ｂが同時に形成される。
【００３２】
本実施形態では、ブラシ糸３４を立設させるためにパイル糸４１を２つの基布３３Ａ，３３Ｂに対して交互に織り込む部分と、非ブラシ部３７とするためにパイル糸４１を一方の基布３３にのみ織り込む部分とを長さ方向Ｙに交互に配置している。すなわち、非ブラシ部３７は、パイル糸４１を一方の基布３３の並び順７〜１４に示す緯糸３９に織り込むことによって形成される。
【００３３】
そして、非ブラシ部３７から延びるパイル糸４１を、さらに２つの基布３３Ａ，３３Ｂの並び順１５〜２０（図示略）の緯糸３９に対して交互に織り込むことによって、長さ方向Ｙに複数のブラシ部３５が間隔を有して並ぶ態様になる。
【００３４】
図６に示すように、基布３３Ａの表面側には、ブラシ部３５の間に形成される非ブラシ部３７に、一方の基布３３Ａにのみ織り込まれたパイル糸４１Ａの織り目４２Ａが露出する。また、基布３３Ｂの表面側には、長さ方向Ｙに並ぶ２つのブラシ部３５の間に形成される非ブラシ部３７に、一方の基布３３Ｂにのみ織り込まれたパイル糸４１Ｂの織り目４２Ｂが露出する。
【００３５】
なお、非ブラシ部３７においてパイル糸４１を一方の基布３３のみに織り込むのは、長さ方向Ｙに間隔を有して並ぶ複数のブラシ部３５を、長さ方向Ｙに連続するパイル糸４１によって効率よく形成するためである。また、非ブラシ部３７において、例えばパイル糸４１Ａを基布３３Ｂ側に織り込むことで、基布３３Ａにパイル糸４１の織り目４２が出ないようにすることが可能である。
【００３６】
また、例えばパイル糸４１Ａとパイル糸４１Ｂとの色を異ならせることによって、ブラシ３２Ａとブラシ３２Ｂとで、異なる色の織り目４２を基布３３に露出させることができる。なお、パイル糸４１Ａ，４１Ｂは幅方向Ｘに交互に並ぶので、ブラシ部３５には、パイル糸４１Ａからなるブラシ糸３４Ａと、パイル糸４１Ｂからなるブラシ糸３４Ｂとが格子状をなすように、幅方向Ｘ及び長さ方向Ｙに間隔を有して配置される。そのため、パイル糸４１Ａとパイル糸４１Ｂとの色を異ならせると、ブラシ３２Ａ，３２Ｂのブラシ部３５は、パイル糸４１Ａとパイル糸４１Ｂの色が混在した状態になる。
【００３７】
ブラシ部３５の長さ方向Ｙにおける長さは、パイル糸４１を２つの基布３３に対して交互に織り込む部分の長さを長くする、すなわちパイル糸４１を２つの基布３３に対して交互に織り込む部分の緯糸３９の数を増やすことによって、長くなる。また、非ブラシ部３７の長さ方向Ｙにおける長さは、パイル糸４１を一方の基布３３にのみ織り込む部分の長さを長くする、すなわちパイル糸４１を一方の基布３３にのみ織り込む部分の緯糸３９の数を増やすことによって、長くなる。
【００３８】
また、ブラシ部３５の幅方向Ｘにおける長さは、基布３３に織り込むパイル糸４１の数を増やすことによって、長くなる。さらに、縁部３６の幅方向Ｘにおける長さは、縁部３６を構成する経糸３８（図５参照）の本数を増やすことによって長くなる。
【００３９】
次に、本実施形態の回転ブラシ２２及びブラシ３２の作用を説明する。
図１に示すように、電気掃除機の使用時には、仕切板１５の内側のエアがエア吸引口１６及び接続パイプ１３を介して電気掃除機の本体部（図示略）内に吸引される。このとき、モータ１８が駆動されて回転ブラシ２２が例えば図１に矢印で示す方向に回転することで、床Ｆ上の塵、埃、毛髪等のゴミが掃き取られて、エアとともに吸込口１４から吸い込まれる。
【００４０】
また、床Ｆがフローリングのような平坦な床面を有する場合には、回転体３１の回転に伴ってブラシ部３５が床Ｆに摺接することにより、床Ｆに付着した汚れが効果的に払拭される。
【００４１】
特に、回転ブラシ２２は回転体３１に帯状のブラシ３２を螺旋状に巻き付けることによって、ブラシ３２の長さ方向Ｙ及び幅方向Ｘの両方向に複数のブラシ部３５が間隔を有して並列されるとともに、長さ方向Ｙ及び幅方向Ｘが回転ブラシ２２の軸線方向と交差する態様になっている。そのため、回転ブラシ２２の軸線方向と直交するとともに長さ方向Ｙ及び幅方向Ｘと交差する移動方向（図１及び図２における前後方向）にヘッド１１が移動するときに、長さ方向Ｙ及び幅方向Ｘに並ぶ複数のブラシ部３５によって、床面を隙間なく払拭することができる。
【００４２】
なお、ブラシ部３５が床Ｆに摺接するときに、床Ｆに毛髪や糸くずなどの長尺状のゴミが落ちていると、この長尺状のゴミが回転体３１の回転に伴って回転ブラシ２２に絡まってしまうことがある。このとき、ブラシ３２のブラシ部３５とブラシ部３５との間には、非ブラシ部３７があるので、長尺状のゴミがブラシ部３５に強く絡みにくい。したがって、ブラシ３２に付着した長尺状のゴミが電気掃除機の吸引力によってブラシ３２から離れやすくなる。
【００４３】
また、長尺状のゴミが電気掃除機の吸引力によってブラシ３２から離れなかったとしても、例えばこの非ブラシ部３７に指などを差し入れることにより、ブラシ３２に絡まった長尺状のゴミを容易に取り除くことができる。
【００４４】
さらに、ブラシ部３５には複数のブラシ糸３４が密集しているために、ブラシ糸３４の間に塵埃などの微細なゴミがたまってしまうことがある。その点、ブラシ３２において、ブラシ部３５は非ブラシ部３７や縁部３６と隣接しているために、ブラシ部３５の外縁部分のブラシ糸３４が露出している。そのため、ブラシ部３５内において、ブラシ糸３４とブラシ糸３４との間に入り込んだ微細なゴミが電気掃除機の吸引力によってブラシ３２から離れやすい。
【００４５】
特に、ブラシ３２のブラシ糸３４は、パイル糸４１を切断したカットパイルからなるので、複数のブラシ糸３４の立設方向が概ね揃っている。そして、複数のブラシ糸３４の立設方向が揃っていることによって、ブラシ糸３４の間に入った微細なゴミがブラシ部３５内から出やすくなる。
【００４６】
以上詳述した第１実施形態によれば、次のような効果が発揮される。
（１）基布３３の外面に配置された複数のブラシ部３５は互いに間隔を有して配置されているので、ゴミなどの付着物がブラシ３２に付着した場合にも、ブラシ部３５に絡まりにくい。また、ゴミがブラシ部３５に絡まったとしても、こうしたゴミはブラシ部３５とブラシ部３５との間の隙間を通じて取り除くことができる。したがって、ブラシ部３５に付着したゴミなどの付着物を容易に取り除くことができる。
【００４７】
（２）回転体３１の外面に設けられた複数のブラシ部３５は、経糸３８が延びる方向Ｙ及び緯糸３９が延びる方向Ｘの両方向に間隔を有して並列されるので、払拭方向を任意に設定することができる。また、ブラシ糸３４は基布３３に織り込まれたれたパイル（パイル糸４１）によって構成されているので、パイルの織り込み方や種類を変更することによって、ブラシ部３５の大きさや性状などを容易に変更することができる。
【００４８】
（３）回転体３１の外面に配置された複数のブラシ部３５は、互いに間隔を有して配置されているので、回転体３１の回転に伴って、例えば毛髪や糸くずのような長尺状のゴミが付着した場合にも、ブラシ部３５に絡まりにくい。また、長尺状のゴミが絡まったとしても、こうしたゴミはブラシ部３５とブラシ部３５との間において露出しているので、取り除きやすい。したがって、回転体３１の回転に伴ってブラシ部３５に付着したゴミなどの付着物を容易に取り除くことができる。
【００４９】
（４）ブラシ３２は非ブラシ部３７がある分、基布３３の全面にブラシ部３５を設ける場合と比較して、ブラシ糸３４の数を少なくすることができる。これにより、ブラシ３２の軽量化及びコストダウンを図ることができる。
【００５０】
（５）ブラシ３２は、基布３３の全面にブラシ部３５を設ける場合と比較して、ブラシ糸３４の数が少ない分、床Ｆなどの被接触物に摺接する際の摩擦抵抗が小さくなるので、回転ブラシ２２を回転させるモータ１８の負荷を低減することができる。
【００５１】
（第２実施形態）
次に、ブラシの第２実施形態について、上記第１実施形態と異なる点を中心に、図を参照して説明する。
【００５２】
図７に示すように、第２実施形態のブラシ５２の基材は、例えばポリエステルなどの繊維よりなる経糸５８と緯糸５９とを織り上げることにより形成された帯状の基布５３によって構成される。そして、ブラシ５２のブラシ部３５は、緯糸５９の一部にシェニール糸５９Ｓを用いることによって形成される。
【００５３】
図８に示すように、シェニール糸５９Ｓを形成する場合には、まず、芯糸６１と押さえ糸６２と熱融着繊維からなる低融点溶融糸６３とを互いに平行となるように配置する。続いて、芯糸６１と押さえ糸６２との間に、これら芯糸６１及び押さえ糸６２と直交するように複数の花糸５４を並列させた状態で挟み込む。
【００５４】
この状態で芯糸６１と押さえ糸６２と低融点溶融糸６３とを撚り合わせた後、加熱して低融点溶融糸６３を溶融させて芯糸６１及び押さえ糸６２と、花糸５４とを接合することでシェニール糸５９Ｓが得られる。すなわち、本実施形態のブラシ糸は、シェニール糸５９Ｓの花糸５４からなる。
【００５５】
そして、図９に示すように、ブラシ５２は、シェニール糸５９Ｓを緯糸５９として織り込んだ部分がブラシ部３５となり、シェニール糸５９Ｓでない緯糸５９を織り込んだ部分が非ブラシ部３７となる。そして、ブラシ５２において、ブラシ部３５は緯糸５９が延びる方向Ｘに延設されるとともに、経糸５８が延びる方向Ｙに間隔を有して並列される。
【００５６】
次に、本実施形態のブラシ５２の作用を説明する。
ブラシ部３５を形成するシェニール糸５９Ｓは緯糸５９として織り込まれるので、ブラシ５２の幅方向Ｘにおける両端までブラシ部３５を配置して、縁部３６のないブラシ５２を形成することができる。
【００５７】
そして、ブラシ５２のブラシ部３５とブラシ部３５との間には、シェニール糸５９Ｓでない緯糸５９が配置される非ブラシ部３７があるので、ゴミなどの付着物がブラシ５２に絡みにくくなる。また、長尺状のゴミがブラシ５２に絡まったとしても、非ブラシ部３７に指などを差し入れることにより、ブラシ５２に絡まった長尺状のゴミを容易に取り除くことができる。
【００５８】
なお、ブラシ５２のブラシ糸は、シェニール糸５９Ｓの花糸５４からなるので、複数のブラシ糸の立設方向が交差する態様になる。そのため、ブラシ５２に長尺状のゴミが付着した場合にも、ブラシ部３５内に長尺状のゴミが入り込みにくい。
【００５９】
一方、ブラシ５２のブラシ糸は立設方向が交差するので、ブラシ部３５が払拭した塵埃等の微細なゴミをブラシ部３５内に保持しやすい。ただし、ブラシ部３５とブラシ部３５との間には非ブラシ部３７があるので、ブラシ部３５を吸引したり、振動させたりした場合には、ブラシ部３５内にたまった微細なゴミをブラシ５２から容易に取り除くことができる。
【００６０】
また、シェニール糸５９Ｓを緯糸５９として織り込むと、基布５３の両面側にブラシ部３５が形成される。したがって、ブラシ５２を例えば網状または枠状のフレーム部材などに取り付ければ、ブラシ５２の両面で被接触物を払拭することが可能になる。
【００６１】
なお、ブラシ５２の一面側のブラシ部３５のみを使用する場合には、ブラシ５２の他面側に接着層を設けてもよい。この構成によれば、この接着層を介して、ブラシ５２を回転体３１や板状のフレーム部材などに容易に張り付けることができる。なお、ブラシ５２の裏面に接着層を設けない場合には、例えば樹脂等によって裏面をコーティングして、コーティング層などを形成してもよい。
【００６２】
以上説明した第２実施形態によれば、上記（１），（４）の効果に加えて、次のような効果を得ることができる。
（６）ブラシ部３５はシェニール糸５９Ｓを織り込むことによって形成されるので、基布３３の形成と同時にブラシ部３５を形成することができる。すなわち、ブラシ５２はパイルを備えない平織り構造にすることができるので、第１実施形態のようにパイル糸４１を織り込む工程を省いて、製造時の織り工程を簡素化することができる。
【００６３】
（７）シェニール糸５９Ｓを緯糸５９として織り込んでブラシ部３５を形成することによって、縁部３６のないブラシ５２を形成することができる。
（変更例）
上記第１実施形態は、次のように変更して具体化することも可能である。
【００６４】
・図１０及び図１１に示す第１変形例のように、１つのブラシ３２（３２Ｃ，３２Ｄ）において、複数のブラシ部３５（３５Ａ，３５Ｂ）が幅方向Ｘ及び長さ方向Ｙの両方向に並列するようにしてもよい。なお、図１０，図１１において、緯糸３９を矢印で指す数字は、両図に対応する緯糸３９の長さ方向Ｙにおける並び順を示している。
【００６５】
すなわち、図１１に示すように、複数のパイル糸４１Ａを幅方向Ｘに連続して並べ、これらパイル糸４１Ａを２つの基布３３（３３Ｃ，３３Ｄ）に対して交互に織り込むことによってブラシ部３５Ａを形成する。また、この複数のパイル糸４１Ａに対して幅方向Ｘに並ぶ位置に、複数のパイル糸４１Ｂを幅方向Ｘに連続して並べ、これらパイル糸４１Ｂを２つの基布３３Ｃ，３３Ｄに対して交互に織り込むことによってブラシ部３５Ｂを形成する。
【００６６】
このとき、パイル糸４１Ａを２つの基布３３Ｃ，３３Ｄに対して交互に織り込む部分と、パイル糸４１Ｂを２つの基布３３Ｃ，３３Ｄに対して交互に織り込む部分とが長さ方向Ｙに並ぶようにする。すると、１つのブラシ３２において、ブラシ部３５Ａ，３５Ｂが幅方向Ｘに並ぶとともに、ブラシ部３５Ａ及びブラシ部３５Ｂが長さ方向Ｙに間隔を有して並ぶ態様になる。
【００６７】
なお、第１変形例において、幅方向Ｘに並ぶブラシ部３５Ａ，３５Ｂの数を増やしたり、幅方向Ｘに並ぶブラシ部３５Ａとブラシ部３５Ｂとを離して配置したりして、複数のブラシ部３５が長さ方向Ｙ及び幅方向Ｘの両方向に間隔を有して並ぶようにしてもよい。
【００６８】
・図１２に示す第２変形例のように、ブラシ３２は、帯状の基布３３に、複数のブラシ部３５が長さ方向Ｙ及び幅方向Ｘの両方向に間隔を有して配置されていてもよい。この場合には、長さ方向Ｙに沿うように織り込まれるパイル糸の数や太さを変化させるなどして、ブラシ部３５の幅方向Ｘにおける長さ（幅）を変化させてもよい。なお、第２変形例のブラシ３２は、第１変形例のブラシ部３５の大きさや位置を変更することによっても実現することができる。
【００６９】
・図１３に示すように、電気掃除機のヘッド１１が備えるケース１２内に、複数（例えば２つ）の回転ブラシ２２（２２Ｌ，２２Ｓ）を取り付けてもよい。そして、一方の回転ブラシ２２Ｌのブラシ部３５を構成するブラシ糸３４を他方の回転ブラシ２２Ｓのブラシ部３５を構成するブラシ糸３４よりも長くすることによって、回転ブラシ２２Ｌを掻き取り用に用いる一方、回転ブラシ２２Ｓを拭き取り用に用いることができる。あるいは、複数の回転ブラシ２２によって、ブラシ糸３４の硬さや太さを変化させることによっても、掻き取り性能や拭き取り性能を変化させることができる。
【００７０】
なお、電気掃除機のヘッド１１に限らず、互いに異なる性能（例えば、掻き取り性能や拭き取り性能など）を有する複数の回転ブラシ２２を同時に使用するようにしてもよいし、例えば床の種類等に応じて、いずれか１つの回転ブラシ２２を使用するようにしてもよい。また、このように複数の回転ブラシ２２を備える場合には、回転ブラシ２２を構成する回転体３１の内部にモータ（図示略）を収容してもよい。この構成によれば、回転ブラシ２２毎に回転速度を変化させたり、回転方向を変化させたりすることが容易になる。
【００７１】
・回転ブラシ２２は、使用者が手動でヘッド１１を移動させる電気掃除機に限らず、自走式の電気掃除機や、エア吸引を行わない手動式の掃除機に用いることもできる。すなわち、回転ブラシ２２は、モータ等の駆動力によって回転するものに限らない。そして、ブラシ部３５の大きさや密度、ブラシ糸の性状の他、回転体３１の回転軸方向における長さや径を任意に変更することにより、使用用途に応じた掻き取り性や拭き取り性を実現することができる。
【００７２】
・ブラシ３２のブラシ糸３４は、カットパイルに限らず、ブラシ糸３４が環状に形成されるループパイルであってもよい。
上記第２実施形態は、次のように変更して具体化することも可能である。
【００７３】
・基布５３の経糸５８の一部にシェニール糸を用いることによって、ブラシ５２のブラシ部３５を形成してもよい。この構成によれば、ブラシ部３５は緯糸５９がのびる方向Ｘに間隔を有して並列される。
【００７４】
・基布５３の経糸５８の一部及び緯糸５９の一部にシェニール糸を用いることによって、ブラシ５２のブラシ部３５を形成してもよい。この構成によれば、ブラシ部３５と非ブラシ部３７とが格子状をなすように、複数のブラシ部３５が、経糸５８が延びる方向Ｙ及び緯糸５９が延びる方向Ｘの両方向に間隔を有して配置される。
【００７５】
上記各実施形態は、次のように変更して具体化することも可能である。
・ブラシ３２，５２のブラシ部３５を、長さ、硬さまたは太さの異なる複数のブラシ糸３４を混在させた状態で形成してもよい。この構成によれば、ブラシ部３５に長さの長いブラシ糸３４、硬さの硬いブラシ糸３４、または太さの太いブラシ糸３４を多く含ませることによって、ブラシ３２，５２の掻き取り性能を向上させることができる。また、ブラシ部３５に短いブラシ糸３４、柔らかいブラシ糸３４、または細いブラシ糸３４を多く含ませることによって、ブラシ３２，５２の拭き取り性能を向上させることができる。
【００７６】
・ブラシ３２，５２において、非ブラシ部３７の大きさ（広さ）や数は任意に変更することができる。そして、非ブラシ部３７を広くまたは多くすることによって、ブラシ３２，５２の被接触物に対する接触抵抗を低減することができる。また、非ブラシ部３７を広くまたは多くすることによって、ブラシ３２，５２に付着した付着物を取り除きやすくなる。
【００７７】
・ブラシ３２，５２は、回転体３１に巻き付けて回転ブラシとして使用してもよいし、板状の部材等に取り付けて回転しないブラシとして使用してもよい。なお、回転しないブラシは、例えば、空気調和機、空気清浄機、換気扇などのフィルタを清掃したり、画像形成装置内の感光ドラムに付着したトナーを掻き取ったりするための用途に用いることができる。そして、ブラシ３２，５２においては、ブラシ部３５の外縁部分のブラシ糸３４が非ブラシ部３７に面して露出しているので、ブラシ部３５内にたまった微細なゴミやトナーなどを容易にブラシ３２から容易にふるい落とすことができる。
【００７８】
なお、回転しないブラシ３２，５２は、ブラシ３２，５２を移動機構によって移動させつつ被接触物と接触させてもよいし、使用者が手に持って使用するようにしてもよい。例えば、使用者が手に持って使用する黒板消しなどの払拭部にブラシ３２，５２を用いれば、払拭部に付着したチョーク等の粉体を効率よく除去することができる。
【００７９】
・ブラシ３２，５２を回転体３１に巻き付ける場合には、必ずしも螺旋状に巻き付けなくてもよく、ブラシ３２，５２の長さ方向Ｙが回転体３１の回転軸方向に沿うように巻き付けてもよいし、ブラシ３２，５２の幅方向Ｘが回転体３１の回転軸方向に沿うように巻き付けてもよい。
【００８０】
・ブラシ３２，５２を回転体３１に螺旋状に巻き付ける場合には、複数のブラシ３２，５２を回転体３１の回転軸方向に並べて巻き付けるようにしてもよい。
・基材は経糸と緯糸とを織ってなる基布に限らず、例えば不織布や、木材、金属または樹脂等からなるフレーム部材などにブラシ糸を植毛したり接着したりすることによって、ブラシ部を形成するようにしてもよい。例えば、回転体の外周面に直接ブラシ糸を植毛して、ブラシ部と非ブラシ部とを有する回転ブラシを構成してもよい。また、非ブラシ部を備えない複数のブラシ（ブラシ部）を、基材に対して間隔をあけて取り付けることによって、ブラシ部と非ブラシ部とを有するブラシを構成してもよい。すなわち、ブラシ部及び非ブラシ部の形状や配置は任意に変更することができる。
【００８１】
・ブラシ３２，５２の用途は、ゴミ等を払拭する清掃に限らず、例えば塗料やコーティング材等を塗布する用途などにも用いることもできる。この場合にも、ブラシ３２，５２に付着した塗料等を洗浄するときに、非ブラシ部を通じてブラシ部のブラシ糸とブラシ糸との間に水や洗浄液などを通しやすいので、ブラシ３２，５２に付着した塗料等を容易に取り除くことができる。
【符号の説明】
【００８２】
２２，２２Ｌ，２２Ｓ…回転ブラシ、３１…回転体、３２，３２Ａ，３２Ｂ，５２…ブラシ、３３，３３Ａ，３３Ｂ，３３Ｃ，３３Ｄ，５３…基布、３４，３４Ａ，３４Ｂ…ブラシ糸、３５，３５Ａ，３５Ｂ…ブラシ部、３８，５８…経糸、３９，５９…緯糸、５９Ｓ…シェニール糸。
【図１】
2015073740.tif 000003
【図２】
2015073740.tif 000004
【図３】
2015073740.tif 000005
【図４】
2015073740.tif 000006
【図５】
2015073740.tif 000007
【図６】
2015073740.tif 000008
【図７】
2015073740.tif 000009
【図８】
2015073740.tif 000010
【図９】
2015073740.tif 000011
【図１０】
2015073740.tif 000012
【図１１】
2015073740.tif 000013
【図１２】
2015073740.tif 000014
【図１３】
2015073740.tif 000015